(57)【要約】【課題】  欠陥画素の位置検出の回数を減らして電源の消耗を抑制することが可能な撮像装置を提供する。【解決手段】  日時情報の設定を変更する変更操作が行われると、システムコントローラ４０は、位置検出部５１を制御して欠陥画素の位置を検出させる。その後、システムコントローラ４０は、位置検出部５１によって検出された欠陥画素の画素数と、位置情報記憶部５２に記憶された欠陥画素の画素数とを比較して、欠陥画素が増加したか否かの判定を行う。欠陥画素が増加していないと判定された場合、位置情報の更新処理を行わない。欠陥画素が増加したと判定された場合、システムコントローラ４０は、位置検出部５１によって検出された欠陥画素の位置情報に基づいて、位置情報記憶部５２に記憶された位置情報を更新する。【選択図】        図５
2006246100.tif 000002
【特許請求の範囲】
【請求項１】
撮像素子の欠陥画素の位置情報に基づいて、前記撮像素子によって撮像された画像データを補正する撮像装置において、
前記画像データに基づいて前記欠陥画素の位置を検出する位置検出手段と、
前記位置検出手段によって検出された前記位置情報を記憶する位置情報記憶手段と、
電源操作及び撮影操作を伴わない所定の操作が行われた時に、前記位置検出手段を制御して前記欠陥画素の位置を検出させ、この位置情報に基づいて前記位置情報記憶手段に記憶された位置情報を更新する更新手段とを備えたことを特徴とする撮像装置。
【請求項２】
前記更新手段は、前記位置検出手段によって検出された前記欠陥画素の画素数が、前記位置情報記憶手段に記憶された画素数よりも増加した時に、前記位置情報を更新することを特徴とする請求項１記載の撮像装置。
【請求項３】
前記所定の操作は、撮像装置本体の日時情報の設定を変更する変更操作であり、前記更新手段は、前記変更操作が行われた時に、前記位置検出手段を制御して前記欠陥画素の位置を検出させることを特徴とする請求項１または請求項２記載の撮像装置。
【請求項４】
前記所定の操作は、前記画像データが記憶される画像データ記憶手段を初期化する初期化操作であり、前記更新手段は、前記初期化操作が行われた時に、前記位置検出手段を制御して前記欠陥画素の位置を検出させることを特徴とする請求項１または請求項２記載の撮像装置。
【請求項５】
前記所定の操作は、撮像装置本体のユーザ設定を初期化する設定初期化操作であり、前記更新手段は、前記設定初期化操作が行われた時に、前記位置検出手段を制御して前記欠陥画素の位置を検出させることを特徴とする請求項１または請求項２記載の撮像装置。
【請求項６】
前記所定の操作は、撮像装置本体内に着脱自在に装填されるバッテリを装填する装填操作であり、前記装填操作が行われた時に、前記位置検出手段を制御して前記欠陥画素の位置を検出させることを特徴とする請求項１または請求項２記載の撮像装置。
【請求項７】
前記所定の操作は、撮像装置本体にＡＣアダプタを接続する接続操作であり、前記更新手段は、前記接続操作が行われた時に、前記位置検出手段を制御して前記欠陥画素の位置を検出させることを特徴とする請求項１または請求項２記載の撮像装置。
【請求項８】
前記所定の操作は、撮像装置本体をクレードル装置に収納する収納操作であり、前記更新手段は、前記収納操作が行われた時に、前記位置検出手段を制御して前記欠陥画素の位置を検出させることを特徴とする請求項１または請求項２記載の撮像装置。
【発明の詳細な説明】
【技術分野】
【０００１】
本発明は、撮像素子に発生した欠陥画素の位置情報を記憶させておき、この位置情報に基づいて、撮像素子によって撮像された画像データを補正する撮像装置に関する。
【背景技術】
【０００２】
近年、デジタルカメラ等の撮像装置が一般に普及している。デジタルカメラには、ＣＣＤイメージセンサやＣＭＯＳイメージセンサ等の撮像素子が設けられている。デジタルカメラは、画質の向上が望まれており、半導体技術の発展とともに撮像素子の画素数（光電変換素子数）は増加の一途にある。しかし、このような撮像素子は、半導体の局部的な結晶欠陥等により画質劣化を生じさせる画素欠陥が生じることが知られており、撮像素子の画素数が増加すると、欠陥画素のない撮像素子を製造することが難しい。
【０００３】
欠陥画素では、入射光量に応じた出力に常に一定のバイアス電圧が加算されてしまうため、画面上には固定した位置に高輝度の白い点として現れる。このような白い点は、一般に白キズと呼ばれており、製造上の問題だけでなく、経年変化等の要因によっても生じる。
【０００４】
このような欠陥画素による画質の低下を防止するために、製造時に発生した撮像素子の欠陥画素の位置情報をメモリに記憶させておき、撮像素子によって撮像された画像データのうち、欠陥画素に対応する画素データを補正する方法が用いられている。しかし、このような方法では、製造時に発生した欠陥画素による画質の低下を防止できるが、製造後に発生した欠陥画素に対応できないという問題があった。
【０００５】
このような問題を解決するために、撮像素子の欠陥画素の位置を自動的に検出し、新たに発見した欠陥画素の位置情報を既存の欠陥画素の位置情報に追加して、次に撮影が行われた時に、この位置情報に基づいて画像データを補正するデジタルカメラが知られている（例えば、特許文献１参照）。このデジタルカメラでは、電源スイッチがオフにされたタイミングで、自動的に欠陥画素の位置を検出して位置情報を更新している。
【特許文献１】特開２００３−２９８９４７号公報
【発明の開示】
【発明が解決しようとする課題】
【０００６】
しかしながら、上記特許文献１に記載のデジタルカメラのように、電源スイッチがオフにされたタイミングで欠陥画素の位置検出を行うと、電源スイッチは頻繁に操作されるので、欠陥画素の位置検出も頻繁に行われる。このため、電力消費が大きくなり電源が消耗するという問題があった。
【０００７】
本発明は上記事情に鑑みてなされたものであり、欠陥画素の位置検出の回数を減らして電源の消耗を抑制することが可能な撮像装置を提供することを目的とする。
【課題を解決するための手段】
【０００８】
上記課題を解決するために、本発明の撮像装置は、撮像素子の欠陥画素の位置情報に基づいて、前記撮像素子によって撮像された画像データを補正する撮像装置であり、前記画像データに基づいて前記欠陥画素の位置を検出する位置検出手段と、前記位置検出手段によって検出された前記位置情報を記憶する位置情報記憶手段と、電源操作及び撮影操作を伴わない所定の操作が行われた時に、前記位置検出手段を制御して前記欠陥画素の位置を検出させ、この位置情報に基づいて前記位置情報記憶手段に記憶された位置情報を更新する更新手段とを備えたことを特徴とするものである。
【０００９】
また、前記更新手段は、前記位置検出手段によって検出された前記欠陥画素の画素数が、前記位置情報記憶手段に記憶された画素数よりも増加した時に、前記位置情報を更新することが好ましい。
【００１０】
さらに、前記所定の操作は、撮像装置本体の日時情報の設定を変更する変更操作であり、前記更新手段は、前記変更操作が行われた時に、前記位置検出手段を制御して前記欠陥画素の位置を検出させることが好ましい。
【００１１】
また、前記所定の操作は、前記画像データが記憶される画像データ記憶手段を初期化する初期化操作であり、前記更新手段は、前記初期化操作が行われた時に、前記位置検出手段を制御して前記欠陥画素の位置を検出させることが好ましい。
【００１２】
さらに、前記所定の操作は、撮像装置本体のユーザ設定を初期化する設定初期化操作であり、前記更新手段は、前記設定初期化操作が行われた時に、前記位置検出手段を制御して前記欠陥画素の位置を検出させることが好ましい。
【００１３】
また、前記所定の操作は、撮像装置本体内に着脱自在に装填されるバッテリを装填する装填操作であり、前記装填操作が行われた時に、前記位置検出手段を制御して前記欠陥画素の位置を検出させることが好ましい。
【００１４】
さらに、前記所定の操作は、撮像装置本体にＡＣアダプタを接続する接続操作であり、前記更新手段は、前記接続操作が行われた時に、前記位置検出手段を制御して前記欠陥画素の位置を検出させることが好ましい。
【００１５】
また、前記所定の操作は、撮像装置本体をクレードル装置に収納する収納操作であり、前記更新手段は、前記収納操作が行われた時に、前記位置検出手段を制御して前記欠陥画素の位置を検出させることが好ましい。
【発明の効果】
【００１６】
本発明の撮像装置によれば、電源操作や撮影操作のように頻繁に行われる操作以外の操作が行われた時に、欠陥画素の位置検出を行うので、欠陥画素の位置検出を行う回数が低減される。このため、位置検出による電源の消耗を抑制することができる。また、撮影操作を伴わない操作がされた時に欠陥画素の位置検出を行うので、速写が不可能になる等の撮影に関する不具合が発生しない。
【００１７】
また、欠陥画素の位置検出を行っても、欠陥画素の画素数が増加していない場合は、位置情報記憶手段に記憶された位置情報を更新しないので、更新処理の回数を減らすことができる。このため、電源の消耗をさらに抑制することができる。
【発明を実施するための最良の形態】
【００１８】
図１及び図２に示すデジタルカメラ１０は、カメラ本体１１の前面に、撮影レンズ１２、ストロボ発光部１３、ファインダ対物窓１４が設けられており、上面には、電源ボタン１５及びシャッタボタン１６が設けられている。
【００１９】
カメラ本体１１の背面には、ＬＣＤ（Liquid Crystal Display）１７、ファインダ接眼窓１８、及び操作部１９が設けられている。操作部１９は、モード切替ボタン２０、ズーム操作ボタン２１、カーソルボタン２２、メニューボタン２３、キャンセルボタン２４、及び表示ボタン２５を備えて構成されている。ＬＣＤ１７は、画像再生に使用される他、撮影時には、フレーミング用のスルー画を表示する電子ビューファインダとしても機能する。また、ＬＣＤ１７は、メニューボタン２３が操作された時に各種設定画面を表示する。
【００２０】
モード切替ボタン２０は、画像データをメモリカード（画像データ記憶手段）２６に記録する撮影モードと、メモリカード２６に記録された画像データを再生する再生モードとを切り替える際にユーザによって操作される。
【００２１】
ズーム操作ボタン２１は、ズーム倍率を変更する際に操作される。カーソルボタン２２は、設定画面上でのカーソルの移動や、設定画面上に表示された項目を選択する際に操作される。メニューボタン２３は、前述したように、ＬＣＤ１７に各種設定画面を表示させる時に操作される。また、キャンセルボタン２４は、各種設定画面上での設定をキャンセル場合や、前画面に戻す場合に操作される。表示ボタン２５は、ＬＣＤ１７の表示をＯＮ，ＯＦＦする時に操作される。
【００２２】
カメラ本体１１の側面には、メモリカード２６が挿脱自在に装填されるスロット２７と、ＡＣアダプタの接続端子２８（図３参照）が電気的に接続されるアダプタ用接続端子２９とが設けられており、この接続端子２８が接続されると、カメラ本体１１はＡＣアダプタによって給電される。また、カメラ本体１１の下面には、カメラ本体１１内に形成された電池室（図示せず）に電池３０を装填させるための電池蓋３１と、クレードル用コネクタ３２とが設けられている。この電池３０は、カメラ本体１１内の各部に給電を行う電源であり、一次電池でも良いし、二次電池でも良い。電池蓋３１は、電池室を開放する開放位置（図１に示す位置）と、電池室を遮蔽する遮蔽位置（図２に示す位置）との間でスライド自在にされている。
【００２３】
また、クレードル用コネクタ３２は、図３に示すクレードル装置３３の収納部３４にカメラ本体１１が収納された時に、収納部３４に設けられた接続端子３５と電気的に接続される。クレードル装置３３の側面には、ＡＣアダプタの接続端子２８と電気的に接続されるアダプタ用接続端子３６が設けられている。カメラ本体１１をクレードル装置に収納した時に、カメラ本体１１はクレードル装置３３によって給電される。
【００２４】
次に、デジタルカメラ１０の電気的構成について説明する。図４に示すように、デジタルカメラ１０には、カメラ全体を制御するシステムコントローラ４０が設けられている。システムコントローラ４０は、各部を制御する制御プログラムが記憶されたＲＯＭ４０ａと、作業用データを一時的に記憶するＲＡＭ４０ｂとを備えている。システムコントローラ４０は、この制御プログラムに基づいて各部を制御する。
【００２５】
システムコントローラ４０には、ＣＣＤドライバ４１を介してＣＣＤイメージセンサ（以下、ＣＣＤと称する）４２が接続されている。システムコントローラ４０は、ＣＣＤドライバ４１を制御することによりＣＣＤ４２を駆動する。ＣＣＤ４２は、光電変換により被写体像を電気信号に変換して、アナログ信号である画像データを取得する。さらに、このＣＣＤ４２は、画像信号処理部４３と接続されており、ＣＣＤ４２によって撮像された画像データが画像信号処理部４３に出力される。この画像信号処理部４３は、データバス４４を介してシステムコントローラ４０に接続されており、システムコントローラ４０よって制御される。
【００２６】
画像信号処理部４３は、相関二重サンプリング回路（ＣＤＳ）、増幅器（ＡＭＰ）、Ａ／Ｄ変換器、信号処理回路、メモリ、圧縮伸張処理回路等を備えて構成されている。ＣＤＳは、ＣＣＤ４２によって取得された画像データのノイズを除去する。ＡＭＰは、ノイズが除去された画像データを増幅してＡ／Ｄ変換器に出力する。Ａ／Ｄ変換器は、増幅された画像データをアナログ信号からデジタル信号の画像データに変換して信号処理回路に出力する。
【００２７】
信号処理回路は、デジタル信号の画像データに対して、階調変換、ホワイトバランス補正、γ補正等の各種画像処理と、ＹＣ変換処理とを施す。撮影モード時において、撮影処理が実行される前に画像信号処理部に入力された画像データは、簡易な画像処理と簡易なＹＣ処理とが施されてＬＣＤドライバ４６に出力される。システムコントローラ４０は、ＬＣＤドライバ４６を制御して画像データをＬＣＤ１７にスルー画として表示させる。
【００２８】
また、撮影処理が実行された時に、画像信号処理部４３に入力された画像データは、信号処理部によって、画像処理、ＹＣ変換処理、及び圧縮処理（例えばＪＰＥＧ方式）等が施され、さらに、ＣＣＤ４２の欠陥画素の位置情報に基づいて、欠陥画素の画素データ（輝度値）を補正する。
【００２９】
その後、システムコントローラ４０は、メディアコントローラ４７を制御して圧縮された画像データをメモリカード２６に記憶させる。また、再生モードでは、メモリカード２６に記憶された画像データに対して伸張処理が施されて、ＬＣＤ１７に再生画像として表示させる。
【００３０】
また、システムコントローラ４０には、電源ボタン１５、シャッタボタン１６、及び操作部１９が接続されている。システムコントローラ４０は、これらから操作信号を取得して、各操作信号に対応する処理を実行する。
【００３１】
さらに、システムコントローラ４０には、電池蓋３１の開閉を検知する開閉検知センサ５０が接続されており、この開閉検知センサ５０から検知信号を取得する。また、システムコントローラ４０には、データバス４４を介して位置検出部５１及び位置情報記憶部５２が接続されている。位置検出部５１は、データバス４４を介して作業用メモリ５３が接続されている。システムコントローラ４０は、欠陥画素の位置検出処理を行う時に、画像信号処理回路４３を制御して、画像データに各種画像処理を施さずに、ＲＡＷ形式の画像データを作業用メモリ５３に出力させる。
【００３２】
位置検出部５１は、画像データが作業用メモリ５３に記憶されている時に、この画像データに基づいてＣＣＤ４２の欠陥画素の位置を検出する。この欠陥画素の位置検出は、例えば、ＣＣＤ４２によって遮光状態で撮像された画像データに基づいて行っても良いし、通常の撮像で得られた画像データに基づいて、各画素の画素データ（輝度値）を比較することによって行っても良い。
【００３３】
また、位置情報記憶部５２は、不揮発性メモリであり、例えば、フラッシュメモリが用いられており、初期欠陥画素（製造段階で検出された欠陥画素）の位置情報が予め記憶されている。システムコントローラ４０は、位置情報記憶部５２に記憶された位置情報を更新させる更新手段であり、位置検出部５１によって検出された欠陥画素の位置情報に基づいて、位置情報記憶部５２に記憶されている位置情報を更新する。
【００３４】
システムコントローラ４０は、撮影の度に位置情報記憶部５２から位置情報を読み出し、画像信号処理部４３を制御して、欠陥画素の周辺画素の出力データである画素データ（輝度値）に基づいて補間処理を行うことで、欠陥画素の画素値を補正して白キズを解消する。
【００３５】
また、デジタルカメラ１０には、各部への給電を行う電源制御部５５が設けられている。この電源制御部５５は、前述の電池３０と接続されており、電池３０の出力電圧を所定電圧に変圧して各部に給電を行う。また、電源制御部５５は、アダプタ用接続端子２９及びクレードル用コネクタ３２に接続されている。電源制御部５５は、アダプタ用接続端子２９またはクレードル用コネクタ３２を介して外部から電源が給電されると、カメラ本体１１の電源がＯＮ状態では、所定電圧に変圧して各部に給電を行うとともに、余剰電力により電池４０に充電を行う。また、カメラ本体１１の電源がＯＦＦ状態では、電源制御部５５は、電池４０への充電のみを行う。
【００３６】
また、電源制御部５５は、システムコントローラ４０と接続されている。電源制御部５５は、アダプタ用接続端子２９またはクレードル用コネクタ３２を介して外部から給電されると、検出信号をシステムコントローラ４０に出力する。
【００３７】
次に、上記構成のデジタルカメラ１０の作用について説明する。システムコントローラ４０は、電源操作及び撮影操作を伴わない所定の操作がユーザによって行われた時に、位置検出部５１を制御して欠陥画素の位置を検出させ、この位置情報に基づいて位置情報記憶部５２に記憶された位置情報を更新する。
【００３８】
電源操作とは、電源ボタン１５が押圧操作される操作であり、カメラ本体の電源がＯＮまたはＯＦＦにされる。この電源操作は、頻繁に行われる操作である。このため、電源操作が行われる度に、欠陥画素の位置の検出処理及び更新処理を行うと、消費電力が増加して電池３０が消耗する。また、撮影操作とは、撮影を実行する時にシャッタボタン１６が押圧される操作や、各種設定画面にて、撮影に関する設定（例えば、撮影画像の画素数の設定、ストロボの発光設定、マクロ撮影の設定等）を変更する操作である。このような撮影操作も、頻繁に行われる操作であり、撮影操作が行われる度に、欠陥画素の位置の検出処理及び更新処理を行うと、消費電力が増加して電池３０が消耗する。
【００３９】
このような電源操作や撮影操作が行われても、システムコントローラ４０は、欠陥画素検出処理及び更新処理を行わない。システムコントローラ４０は、電源操作及び撮影操作を伴わない操作が行われた時に、自動的に位置検出処理及び更新処理を行う。電源操作及び撮影操作を伴わない操作とは、例えば、カメラ本体１１の日時情報を変更する変更操作、メモリカード２６をフォーマット（初期化）する初期化操作、カメラ本体１１のユーザ設定を初期化する設定初期化操作、カメラ本体１１に電池３０を装填する装填操作、アダプタ用接続端子２９にＡＣアダプタの接続端子を接続する接続操作、カメラ本体１１をクレードル装置３３に収納する収納操作等である。
【００４０】
日時情報を変更する変更操作によって位置検出処理及び更新処理を行う場合について、図５のフローチャートを用いて作用を説明する。カメラ本体１１の電源がＯＮにされると、システムコントローラ４０は、日時情報の設定を変更する変更操作がユーザによって行われたか否かを判定する。つまり、システムコントローラ４０は、日時情報の設定を変更する操作信号を取得したか否かで判定を行う。
【００４１】
日時情報の設定が変更されていないと判定された場合、カメラ本体１１の電源がＯＦＦにされたか否かの判定処理に進む。また、日時情報の設定が変更されたと判定された場合、システムコントローラ４０は、画像信号処理部４３を制御して、ＣＣＤ４２によって撮像された画像データに各種画像処理を施さずに、ＲＡＷ形式の画像データを作業用メモリ５３に出力させ、さらに、位置検出部５１を制御して欠陥画素の位置を検出させる。
【００４２】
その後、システムコントローラ４０は、位置検出部５１によって検出された欠陥画素の画素数と、位置情報記憶部５２に記憶された欠陥画素の画素数とを比較して、欠陥画素が増加したか否かの判定を行う。欠陥画素が増加していないと判定された場合、カメラ本体１１の電源がＯＦＦにされたか否かを判定する処理に進む。
【００４３】
欠陥画素が増加したと判定された場合、システムコントローラ４０は、位置検出部５１によって検出された欠陥画素の位置情報に基づいて、位置情報記憶部５２に記憶された位置情報を更新する。その後、カメラ本体１１の電源がＯＦＦにされたか否かを判定する処理に進む。
【００４４】
カメラ本体１１の電源がＯＦＦにされたか否かを判定する判定処理において、電源がＯＦＦにされていない、つまり電源がＯＮの状態であると判定された場合、日時情報の設定を変更する操作がされたか否かを判定する判定処理に戻る。また、電源がＯＦＦにされたと判定された場合、処理を終了する。
【００４５】
以上、日時情報を変更する変更操作によって位置検出処理及び更新処理を行う場合について説明したが、メモリカード２６をフォーマット（初期化）する初期化操作、カメラ本体１１のユーザ設定を初期化する設定初期化操作の場合も同様であり、システムコントローラ４０が、初期化操作及び設定初期化操作のそれぞれの操作に対応する操作信号を取得したか否かを判定すれば良い。
【００４６】
次に、カメラ本体１１に電池３０を装填する装填操作によって位置検出処理及び更新処理を行う場合について、図６のフローチャートを用いて説明する。電池蓋３１が開放位置（図１に示す位置）に移動され、開閉検知センサ５０から検知信号を取得した時に、システムコントローラ４０は、カメラ本体１１に電池３０を装填する装填操作が行われたか否かを判定する。この判定は、電池蓋３１が遮蔽位置（図２に示す位置）に移動され、開閉検知センサ５０から検知信号を取得したか否かに基づいて行われる。
【００４７】
装填操作が行われていないと判定された場合、装填操作が行われたか否かを判定する判定処理を繰り返し行う。また、装填操作が行われたと判定された場合、システムコントローラ４０は、カメラ本体１１の電源をＯＮにする。その後、システムコントローラ４０は、画像信号処理部４３を制御して、画像データに各種画像処理を施さずにＲＡＷ形式の画像データを作業用メモリ５３に出力させる。その後、システムコントローラ４０は、位置検出部５１を制御して欠陥画素の位置を検出させる。
【００４８】
検出処理が終了すると、システムコントローラ４０は、位置検出部５１によって検出された欠陥画素の画素数と、位置情報記憶部５２に記憶された欠陥画素の画素数とを比較して、欠陥画素が増加したか否かの判定を行う。欠陥画素が増加していないと判定された場合、カメラ本体１１の電源をＯＦＦにして処理を終了する。
【００４９】
欠陥画素が増加したと判定された場合、システムコントローラ４０は、位置検出部５１によって検出された欠陥画素の位置情報に基づいて、位置情報記憶部５２に記憶された位置情報を更新する。その後、カメラ本体１１の電源をＯＦＦにして処理を終了する。
【００５０】
なお、開閉検知センサ５０の出力信号に基づいて、電池３０が装填されたか否かを判定する場合を例に説明したが、これに限るものではなく、電池室内の電池３０の有無に基づいて判定しても良い。この場合、電池３０の有無を検出するセンサを設ければ良い。
【００５１】
アダプタ用接続端子２９にＡＣアダプタの接続端子を接続する接続操作、カメラ本体１１をクレードル装置３３に収納する収納操作が行われた時に、位置検出処理及び更新処理を行う場合について、図７のフローチャートを用いて作用を説明する。接続操作または収納操作が行われた時に、電源制御部５５は、電源が接続されたことを検出して検出信号をシステムコントローラ４０に出力する。システムコントローラ４０は、この検出信号に基づいてカメラ本体１１に電源が接続されたか否かを判定する。
【００５２】
電源が接続されていないと判定された場合、すなわち接続操作または収納操作が行われていないと判定された場合、電源が接続されたか否かを判定する判定処理を繰り返し行う。また、電源が接続されたと判定された場合、すなわち接続操作または収納操作が行われた場合、システムコントローラ４０は、カメラ本体１１の電源をＯＮにする。その後、システムコントローラ４０は、画像信号処理部４３を制御して、画像データに各種画像処理を施さずにＲＡＷ形式の画像データを作業用メモリ５３に出力させる。その後、システムコントローラ４０は、位置検出部５１を制御して欠陥画素の位置を検出させる。
【００５３】
検出処理が終了すると、システムコントローラ４０は、位置検出部５１によって検出された欠陥画素の画素数と、位置情報記憶部５２に記憶された欠陥画素の画素数とを比較して、欠陥画素が増加したか否かの判定を行う。欠陥画素が増加していないと判定された場合、処理を終了する。
【００５４】
欠陥画素が増加したと判定された場合、システムコントローラ４０は、位置検出部５１によって検出された欠陥画素の位置情報に基づいて、位置情報記憶部５２に記憶された位置情報を更新して処理を終了する。
【００５５】
なお、電源の接続に基づいて、前述の接続操作または収納操作が行われた否かを判定する場合を例に説明したが、これに限るものではなく、電池３０への充電の開始によって判定しても良い。また、クレードル装置３３に収納されたことを検出する検出センサをカメラ本体１１に設けて、収納操作が行われたか否かを判定しても良い。
【００５６】
以上、変更操作、初期化操作、設定初期化操作、装填操作、接続操作、及び収納操作が行われた時に、位置検出処理及び更新処理を行う場合を例に説明したが、これらの６つの操作に限るものではなく、電源操作及び撮影操作を伴わない操作であり、頻繁に行われない操作であれば良い。また、位置検出処理及び更新操作は、前述の６つの操作のうちの１つが行われた時にのみ行われれば良い。さらに、位置検出処理及び更新処理を行うタイミングを前述の６つの操作から選択して設定できるようにしても良い。
【００５７】
なお、上記実施形態において、開閉検知センサを設ける場合を例に説明したが、装填操作が行われた時に、位置検出処理及び更新処理を実施しない場合には、開閉検知センサを設けなくても良い。
【００５８】
また、上記実施形態において、位置検出部によって検出された欠陥画素の画素数が、位置情報記憶部に記憶された欠陥画素の画素数よりも多い場合に、位置情報を更新するように説明したが、これに限るものではなく、欠陥画素の検出処理を行った時に、常に位置情報の更新を行っても良い。しかし、電力消費を抑えることができるので、欠陥画素の画素数が増えた場合のみ、位置情報の更新を行うことが好ましい。
【００５９】
さらに、上記実施形態において、撮像素子としてＣＣＤを用いたデジタルカメラを例に説明したが、これに限るものではなく、ＣＭＯＳイメージセンサを用いても良い。
【００６０】
また、上記実施形態において、本発明の撮像装置をデジタルカメラに適用した場合を例に説明したが、これに限るものではなく、例えば、デジタルビデオカメラにも本発明を適用することができる。
【図面の簡単な説明】
【００６１】
【図１】デジタルカメラの前面側の構成を示す斜視図である。
【図２】デジタルカメラの背面側の構成を示す斜視図である。
【図３】アダプタ用接続端子及びクレードル用コネクタを説明する斜視図である。
【図４】デジタルカメラの電気的構成を示す斜視図である。
【図５】日付情報の設定を変更する変更操作によって欠陥画素の位置検出及び位置情報の更新処理を行う場合のデジタルカメラの作用を説明するフローチャートである。
【図６】電池を装填する装填操作によって欠陥画素の位置検出及び位置情報の更新処理を行う場合のデジタルカメラの作用を説明するフローチャートである。
【図７】電源を接続する接続操作によって欠陥画素の位置検出及び位置情報の更新処理を行う場合のデジタルカメラの作用を説明するフローチャートである。
【符号の説明】
【００６２】
１０  デジタルカメラ
１１  カメラ本体
１９  操作部
２６  メモリカード
２９  アダプタ用接続端子
３０  電池
３１  電池蓋
３５  クレードル用コネクタ
４０  システムコントローラ
５０  開閉検知センサ
５１  位置検出部
５２  位置情報記憶部
５５  電源制御部１２  欠陥画素検出回路
【図１】
2006246100.tif 000003
【図２】
2006246100.tif 000004
【図３】
2006246100.tif 000005
【図４】
2006246100.tif 000006
【図５】
2006246100.tif 000007
【図６】
2006246100.tif 000008
【図７】
2006246100.tif 000009